(57)【特許請求の範囲】
【請求項１】
本体枠と、
この本体枠に取り付けられる支持部材と、
この支持部材に対し着脱可能に取り付けられる部材であって、表面に所定の識別情報が表示される識別ベース部材と、
を備えた遊技機において、
前記本体枠あるいは前記支持部材の一方には前記支持部材を前記本体枠に取り付けるための係合部が形成されるとともに、他方には前記係合部と係合される被係合部が形成され、
前記本体枠には前記支持部材に設けられた突出部が挿通可能である挿通孔が形成されるとともに、前記支持部材を前記本体枠に取り付けた状態では前記突出部が前記挿通孔に挿通された状態にあり、
前記本体枠に取り付けられた前記支持部材に前記識別ベース部材が取り付けられた状態では、
前記識別ベース部材の表面側は、前記係合部と被係合部の係合箇所および前記支持部材に対して前記識別ベース部材が係止された箇所が覆われ、前記識別ベース部材の表面側からは前記支持部材から前記識別ベース部材を取り外し不能となるように構成されている一方、
前記識別ベース部材の裏面側である前記本体枠側から、前記挿通孔に挿通された前記突出部を前記識別ベース部材の表面側に押圧することで、前記係合部と被係合部が係合したまま前記係合部あるいは被係合部の一方が前記本体枠あるいは支持部材から外れることで、前記本体枠から前記支持部材が外れ、前記支持部材に支持された状態にある前記識別ベース部材が前記支持部材から取り外し可能に構成し、
前記本体枠あるいは前記支持部材の一方に形成された前記係合部は、その他の箇所よりも薄く形成された薄肉部分を有し、
前記挿通孔に挿通された前記突出部を前記識別ベース部材の表面側に押圧することで、前記薄肉部分が破壊されて前記支持部材に支持された状態にある前記識別ベース部材が前記本体枠から取り外されるように構成されていることを特徴とする遊技機。
【請求項２】
前記支持部材は、前記係合部に係合される取付部材を介して前記本体枠に取り付けられ、
前記挿通孔に挿通された前記突出部を前記識別ベース部材の表面側に押圧し前記薄肉部分が破壊されると、前記取付部材によって前記係合部が前記支持部材あるいは前記本体枠の他方に付いたままの状態となるように構成されていることを特徴とする請求項１に記載の遊技機。
【請求項３】
前記支持部材は、前記本体枠の後側から前記本体枠に対して取付可能に構成され、
前記識別ベース部材は、前記本体枠の後側から前記支持部材に対して取付可能に構成されていることを特徴とする請求項１または請求項２に記載の遊技機。
【請求項４】
前記本体枠には前記挿通孔が複数形成され、
前記支持部材には前記挿通孔のそれぞれに挿通される前記突出部が複数形成されていることを特徴とする請求項１から請求項３のいずれか一項に記載の遊技機。
【発明の詳細な説明】
【技術分野】
【０００１】
本発明は、各機を区別する識別情報が付される遊技機に関する。
【背景技術】
【０００２】
パチンコ遊技機等の遊技機には、各機にメーカ名や製造番号等が付された証紙（識別情報）が取り付けられている。下記特許文献１には、証紙がプレートに貼り付けられ、その証紙付プレートが遊技機の本体枠に取り付けられる構成が開示されている。
【先行技術文献】
【特許文献】
【０００３】
【特許文献１】特開２００７−２９６０９２号公報
【発明の概要】
【発明が解決しようとする課題】
【０００４】
しかし、上記引用文献１の構成では、一端本体枠に取り付けられた証紙付プレートを痕跡を残さずに取り外すことが可能である。したがって、遊技機が市場に導入された後で証紙を交換する等の不正が行われても当該不正の事実を発見することができないおそれがあった。
【０００５】
本発明は、不正の見逃しを防止できる簡易な構成の識別情報取付構造を備えた遊技機を提供することにある。
【課題を解決するための手段】
【０００６】
上記課題を解決するためになされた請求項１の発明にかかる遊技機は、本体枠と、この本体枠に取り付けられる支持部材と、この支持部材に対し着脱可能に取り付けられる部材であって、表面に所定の識別情報が表示される識別ベース部材と、を備えた遊技機において、前記本体枠あるいは前記支持部材の一方には前記支持部材を前記本体枠に取り付けるための係合部が形成されるとともに、他方には前記係合部と係合される被係合部が形成され、前記本体枠には前記支持部材に設けられた突出部が挿通可能である挿通孔が形成されるとともに、前記支持部材を前記本体枠に取り付けた状態では前記突出部が前記挿通孔に挿通された状態にあり、前記本体枠に取り付けられた前記支持部材に前記識別ベース部材が取り付けられた状態では、前記識別ベース部材の表面側は、前記係合部と被係合部の係合箇所および前記支持部材に対して前記識別ベース部材が係止された箇所が覆われ、前記識別ベース部材の表面側からは前記支持部材から前記識別ベース部材を取り外し不能となるように構成されている一方、前記識別ベース部材の裏面側である前記本体枠側から、前記挿通孔に挿通された前記突出部を前記識別ベース部材の表面側に押圧することで、前記係合部と被係合部が係合したまま前記係合部あるいは被係合部の一方が前記本体枠あるいは支持部材から外れることで、前記本体枠から前記支持部材が外れ、前記支持部材に支持された状態にある前記識別ベース部材が前記支持部材から取り外し可能に構成し、前記本体枠あるいは前記支持部材の一方に形成された前記係合部は、その他の箇所よりも薄く形成された薄肉部分を有し、前記挿通孔に挿通された前記突出部を前記識別ベース部材の表面側に押圧することで、前記薄肉部分が破壊されて前記支持部材に支持された状態にある前記識別ベース部材が前記本体枠から取り外されるように構成されていることを特徴とする。
【０００８】
請求項２に記載の発明は、請求項１に記載の遊技機において、前記支持部材は、前記係合部に係合される取付部材を介して前記本体枠に取り付けられ、前記挿通孔に挿通された前記突出部を前記識別ベース部材の表面側に押圧し前記薄肉部分が破壊されると、前記取付部材によって前記係合部が前記支持部材あるいは前記本体枠の他方に付いたままの状態となるように構成されていることを特徴とする。
【０００９】
請求項３に記載の発明は、請求項１または請求項２に記載の発明において、前記支持部材は、前記本体枠の後側から前記本体枠に対して取付可能に構成され、前記識別ベース部材は、前記本体枠の後側から前記支持部材に対して取付可能に構成されていることを特徴とする。
【００１０】
請求項４に記載の発明は、請求項１から請求項３のいずれか一項に記載の発明において、前記本体枠には前記挿通孔が複数形成され、前記支持部材には前記挿通孔のそれぞれに挿通される前記突出部が複数形成されているところに特徴を有する。
【発明の効果】
【００１１】
本発明にかかる遊技機では、識別ベース部材の表面側からは識別ベース部材を取り外すことが不可能であるのに対し、識別ベース部材の裏面側からは、挿通孔に挿通された突出部を識別ベース部材の表面側に押圧することで、係合部と被係合部が係合したまま係合部あるいは被係合部の一方が本体枠あるいは支持部材から外れる。つまり、係合部あるいは被係合部の一方が他方に残ったまま、本体枠から支持部材が外れ、支持部材に支持された識別ベース部材を取り外すことができる状態となる。このように、識別ベース部材を取り外すと係合部あるいは被係合部の一方が他方に残ったままの状態となるため、痕跡を残さずに識別ベース部材を取り外すことが困難となる。また、識別ベース部材の裏面側から挿通孔に挿通された突出部を識別ベース部材の表面側に押圧するだけで本体枠から識別ベース部材を支持する支持部材を外すことができるため、識別ベース部材の取り外し作業が容易になる。さらに、識別ベース部材は本体枠に直接取り付けられているわけではなく、支持部材を介して取り付けられているため、一旦取り外した識別ベース部材を再利用することが可能である。
また、突出部を識別ベース部材の表面側に押圧したときに破壊される薄肉部分が係合部に形成される構成であるから、突出部を押圧することによって支持部材とともに識別ベース部材が取り外される構成を簡単に構築することが可能となる。
【００１３】
請求項２に記載の発明のように、支持部材を本体枠に取り付けるための取付部材を用いる場合、その取付部材によって係合部が支持部材あるいは本体枠の他方に付いたままの状態となるため、痕跡を残さずに支持部材とともに識別ベース部材を取り外すことが困難となる。
【００１４】
請求項３に記載の発明によれば、支持部材および識別ベース部材の両方が本体枠の後側から取付可能であるため、取り外し作業だけでなく識別ベース部材の取り付け作業も容易になる。
【００１５】
請求項４に記載の発明によれば、識別ベース部材（支持部材）の取り外し時に利用する突出部を、支持部材およびそれに支持される識別ベース部材の本体枠に対する位置決めとしても利用することが可能となる。
【図面の簡単な説明】
【００１６】
【図１】本発明の実施形態にかかる遊技機の正面図である。
【図２】本体枠と前面枠の組体の外観図である（前面枠が閉状態）。
【図３】本体枠と前面枠の組体の外観図である（前面枠が開状態）。
【図４】本体枠の正面図である。
【図５】本体枠の前側における識別ベース部材が取り付けられた部分を拡大して示した図である。
【図６】本体枠の背面図である（識別ベース部材（識別情報表示部材）が識別情報カバー部材で覆われた状態）。
【図７】本体枠の背面図である（識別ベース部材（識別情報表示部材）が識別情報カバー部材に覆われていない状態）
【図８】本体枠の後側における識別ベース部材が取り付けられた部分を拡大して示した図である。
【図９】本体枠の後側における識別ベース部材が取り付けられる部分とそれに取り付けられる各部材を分解して示した（各部材が取り付けられる前の状態を示した）図である。
【図１０】図９に示した状態の本体枠に対し支持部材が取り付けられた状態を示した図である。
【図１１】図１０に示した状態の支持部材に対し識別ベース部材が取り付けられた状態を示した図である。
【図１２】識別ベース部材を支持する支持部材が取り外され、破壊された支持部材の一部（係合部）が本体枠に残ったままの状態を示した図である。
【図１３】支持部材の外観図である。
【図１４】識別ベース部材（識別情報表示部材を含む）の外観図である。
【図１５】支持部材とそれに取り付けられた識別ベース部材の組体の外観図である。
【発明を実施するための形態】
【００１７】
以下、本発明にかかる実施形態について図面を参照して詳細に説明する。なお、特に明示した場合を除き、以下の説明において単に前側とは遊技機１の手前側（遊技時に遊技者が位置する側）のことであり、単に後（裏）側とは遊技機１の背面側のことをいう。また、単に幅方向とは、遊技機１を正面から見た場合の左右方向のことをいう。
【００１８】
（遊技機の全体構成）
遊技機１の全体構成について簡単に説明する。図１〜図３に示すように、遊技機１は、ベースとなる本体枠１０を備える。この本体枠１０には前面枠８１が取り付けられている。前面枠８１は、その左側縁が本体枠１０に回動自在に支持され、前側に開閉可能である（図３参照）。また、前面枠８１には、ガラス枠８２が取り付けられている。ガラス枠８２は、その左側縁が前面枠８１に回動自在に支持され、前側に開閉可能である。
【００１９】
ガラス枠８２の中央の開口部にはガラス板またはプラスチック板等の透明な板が設けられており、遊技者はこの透明な板を通して前側から遊技盤９０を視認できる。また、ガラス枠８２の下部には、払い出された遊技球を発射装置に送るまで貯めておく上皿ユニット８３が設けられている。上皿ユニット８３には、貯留されている遊技球を下皿ユニット８５に流下させる上皿スイッチや、貸し出し可能な貸し球を払い出す球貸しスイッチ等が設けられている。また、ガラス枠８２の上部左右両側には、スピーカ８４が設けられている。
【００２０】
前面枠８１の下部には、払い出された遊技球が上皿ユニット８３に入りきらない場合等に遊技球を貯めることができる下皿ユニット８５や、遊技球を発射操作するためのタッチスイッチを備える発射ハンドル８６等が設けられている。下皿ユニット８５の左側には、表示装置９２に表示される演出に応じて遊技者が操作を行う遊技スイッチ８７が設けられている。
【００２１】
遊技盤９０は、ほぼ正方形の合板により成形されており、前面枠８１に着脱可能に取り付けられている。この遊技盤９０には、発射装置から発射された遊技球をガイドする金属製の薄板からなる帯状のガイドレール９１が略円弧形状となるように設けられており、このガイドレール９１によって遊技領域の外郭の一部が形成されている。遊技盤９０の遊技領域には、始動入賞口９３１、大入賞口９３２、アウト口９３３などが設けられている。
【００２２】
表示装置９２は、例えば液晶表示装置が用いられ、表示装置９２の表示領域において特別図柄や普通図柄等が表示される。かかる表示装置９２の表示領域は、遊技盤９０に形成された開口を通じて視認可能である。
【００２３】
遊技盤９０の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００２４】
なお、図示しないが、遊技機１の背面側には、枠用外部端子基板、表示制御基板、主制御基板、音声制御基板、ランプ制御基板、払出制御基板、発射制御基板、電源基板等の各種基板、カードインターフェース接続部、球寄せ、球タンク、タンクレール、払出装置、発射装置等の各種の遊技機構成部材が設けられている。
【００２５】
このような遊技機１では、発射ハンドル８６の操作により、発射装置から遊技領域に遊技球を発射し、遊技領域を流下する遊技球が、始動入賞口９３１や大入賞口９３２等の入賞口に入賞すると、所定の数の賞球が払出装置により払い出される。その他の遊技機の構造や、大当たりの抽選方法や演出等の遊技機の制御は、公知の遊技機と同様のものが適用できるため、説明は省略する。
【００２６】
（識別ベース部材の取り付け構造）
以下、本実施形態にかかる遊技機１が備える識別ベース部材の取り付け構造（以下、単に取り付け構造２と称することもある）について図３〜図１５を参照して詳細に説明する。
【００２７】
図３〜図１２等に示される取り付け構造２は、遊技機１のベースである本体枠１０に対し、支持部材２０を介して識別ベース部材３０が取り付けられるように構成されたものである。識別ベース部材３０（図１４参照）は、その表面３１ａに所定の識別情報（例えば、個々の遊技機の区別するために、それぞれの遊技機に付された固有の文字や数字の組み合わせ）が表示されるものである。なお、詳細を後述するように、識別ベース部材３０は本体枠１０の裏側に取り付けられるものであるため、識別ベース部材３０の表面３１ａは遊技機１全体で見ると後方に向く面となる。つまり、識別ベース部材３０の表面３１ａに表示された識別情報は本体枠１０の後方から視認可能である。本実施形態では、識別情報がプリントされたプレートやシート（いわゆる「証紙」のこと。以下、この部材を識別情報表示部材３０ａと称することもある）を別途用意し、識別ベース部材３０の表面３１ａに貼り付けている。ただし、これはあくまで例示であり、識別ベース部材３０の表面３１ａに直接識別情報をプリントしてもよい。
【００２８】
本体枠１０には、以下のような構造の識別ベース部材取付部が設けられている。図９等に示すように、本体枠１０の裏側には、後方から見て略長方形状である後方に向かって突出した壁部１１が設けられている。この壁部１１の内側の空間（略直方体形状の空間）に支持部材２０およびそれに支持される識別ベース部材３０が収容されることになる。壁部１１で区画される部分の底面（すなわち本体枠１０の裏面における壁部１１の内側の部分）の略中央には、後方に向かって突出した被係合部１２が設けられている。被係合部１２は円筒状の突起であり、突起中央には後述する取付ねじ４０（本発明における取付部材に相当する）が螺合可能なねじ穴１２１が形成されている。
【００２９】
本体枠１０における壁部１１で区画される部分の底面中央に形成された被係合部１２の幅方向両側には、前後方向に貫通する挿通孔１３が形成されている。つまり、本実施形態では二つの挿通孔１３が形成されている。両挿通孔１３の中心と被係合部１２の中心は一直線上に並び、一方の挿通孔１３の中心と被係合部１２の中心との距離は、他方の挿通孔１３の中心と被係合部１２の中心との距離と等しい。つまり、両挿通孔１３の中心同士を結んだ直線の中央に被係合部１２の中心が位置する。
【００３０】
また、幅方向における壁部１１の一方側には、壁部１１で区画される部分よりもやや大きい略長方形状であり、透明または半透明な材料で形成された識別情報カバー部材１４が設けられている。本実施形態では、識別情報カバー部材１４は、本体枠１０の裏面と略平行になって壁部１１で区画される部分を覆う位置から、本体枠１０の裏面と略直交する位置まで回動自在に支持されている。
【００３１】
支持部材２０は、識別ベース部材３０を本体枠１０に取り付けるために両部材の間に介在させる部材である。図１３に詳細を示すように、支持部材２０は、外縁が略直方体形状に形成される部材である。その大きさは上記壁部１１の内側の空間よりも小さい。支持部材２０の後側（本体枠１０に取り付けられた状態での後側）中央には、支持部材２０を本体枠１０に取り付けるための係合部２１が形成されている。係合部２１には、ねじ挿通孔２１１と、このねじ挿通孔２１１の周囲に形成されるねじ頭係合部２１２と、このねじ頭係合部２１２の周囲に形成された薄肉部分２１３と、が設けられている。ねじ挿通孔２１１は、支持部材２０の中央に形成された前後方向に貫通する孔であって、後述する取付ねじ４０（取付部材）が挿通される。ねじ頭係合部２１２は、支持部材２０の裏側において貫通孔の周囲に形成された、後方から前側に向かってテーパ状に窪んだ部分であって、取付ねじ４０のねじ頭が係合する部分である。薄肉部分２１３は、その厚み（前後方向の長さ）が、支持部材２０を構成するその他の箇所の厚みよりも薄く形成された部分である。つまり、当該薄肉部分２１３の機械的強度は、支持部材２０を構成するその他の箇所に比して低い。
【００３２】
支持部材２０における係合部２１の幅方向両側には、識別ベース部材３０を取り付けるための爪係止部２２が設けられている。爪係止部２２は、前後方向に貫通した部分（断面略四角形状に貫通した部分）の内壁面から突出した突起である。具体的には、支持部材２０に二つ形成される前後方向に貫通した部分における幅方向外側の内壁面のそれぞれから、幅方向内側に向かって突出した突起である。
【００３３】
支持部材２０における前側（本体枠１０に取り付けられた状態での前側）には、前方に向かって突出した突起である突出部２３が形成されている。本実施形態では二つの突出部２３が形成されている。両突出部２３の中心とねじ挿通孔２１１の中心は一直線上に並び、一方の突出部２３の中心とねじ挿通孔２１１の中心との距離は、他方の突出部２３の中心とねじ挿通孔２１１の中心との距離と等しい。つまり、両突出部２３の中心同士を結んだ直線の中央にねじ挿通孔２１１の中心が位置する。また、両突出部２３の中心間の距離は、本体枠１０に形成された挿通孔１３の中心間の距離と等しい。後述するように、支持部材２０が本体枠１０に対して所定位置に取り付けられる際には、各突出部２３は本体枠１０に形成された挿通孔１３に挿通される。各突出部２３が挿通孔１３に挿通されると本体枠１０に形成された被係合部１２（ねじ穴１２１）の中心と、ねじ挿通孔２１１の中心とが一致する。
【００３４】
図１４に詳細を示す識別ベース部材３０は、識別情報表示部材３０ａが付着される面（表面３１ａ）を有する部分（以下主壁３１と称することもある）の周縁から延びる側壁３２が形成され、表面３１ａ側の反対側（裏面側）が開口した部材である。主壁３１および側壁３２で囲まれる空間は、支持部材２０が入り込むことができる大きさである。また、識別ベース部材３０には、主壁３１における表面３１ａの反対側の面から前方（本体枠１０に取り付けられた状態における前方）に向かって突出し、主壁３１および側壁３２で囲まれる空間に位置する二つの係止部３３が形成されている。この係止部３３同士の間隔は、上記支持部材２０の爪係止部２２とほぼ同じである。両係止部３３の先端には幅方向外側に突出する爪３３１が形成されている。両爪３３１は、突出量が先端に向かって徐々に小さくなる断面略三角形状に形成されている。
【００３５】
（識別ベース部材の取り付けおよび取り外し）
以下、上記取り付け構造２を用いて本体枠１０に支持部材２０を介して識別ベース部材３０を取り付ける方法および取り外す方法について、一部上記説明と重複するが詳細に説明する。
【００３６】
１）識別ベース部材の取り付け
以下、識別ベース部材３０の本体枠１０への取り付け手順を説明する。まず、図９に示した状態にある本体枠１０に支持部材２０を取り付ける。具体的には、図１０に示すように、支持部材２０の突出部２３を本体枠１０に挿通させた上で、取付ねじ４０（取付部材）を支持部材２０のねじ挿通孔２１１に挿通させた状態で本体枠１０の被係合部１２に形成されたねじ穴１２１に螺合させる。本実施形態では、支持部材２０には二つの突出部２３が形成されており、本体枠１０にはそれに合わせて二つの挿通孔１３が形成されているから、各突出部２３を対応する挿通孔１３に挿通させることによって、ねじ挿通孔２１１とねじ穴１２１の中心が略一致した状態となる。つまり、複数の突出部２３およびその複数の突出部２３のそれぞれに対応する挿通孔１３が形成されているため、各突出部２３を挿通孔１３に挿通させれば、本体枠１０に対する支持部材２０の位置決めがなされる。ねじ挿通孔２１１に挿通された取付ねじ４０をねじ穴１２１に螺合させると、取付ねじ４０のねじ頭はねじ挿通孔２１１の周囲に形成されたねじ頭係合部２１２に係合した状態となる。これをもって本体枠１０に対する支持部材２０の取り付けが完了する。なお、挿通孔１３は前後方向に貫通する孔であるため、本体枠１０に対して支持部材２０が取り付けられると、挿通孔１３に挿通された突出部２３の先端は本体枠１０の前側で露出する（図５参照）。
【００３７】
続いて、図１１に示すように、識別ベース部材３０を支持部材２０に支持させる。具体的には以下の通りである。識別ベース部材３０の係止部３３を支持部材２０の前後方向に貫通した部分に挿入することにより、係止部３３の先端に形成された爪３３１が支持部材２０の爪係止部２２に接触する。爪３３１は、突出量が先端に向かって徐々に小さくなる断面略三角形状であるため、係止部３３を支持部材２０の貫通した部分に押し込むにつれ、係止部３３は爪係止部２２の先端によって徐々に内側に弾性変形していく。係止部３３の弾性変形量が一定量以上になると、係止部３３の爪３３１が爪係止部２２の先端を乗り越える。係止部３３の爪３３１が爪係止部２２の先端を乗り越えると、係止部３３の弾性変形が解消され、係止部３３の爪３３１が爪係止部２２に係止された状態となる（図１５参照）。このようにして支持部材２０に識別ベース部材３０が支持される。支持部材２０は本体枠１０に取り付けられた状態にあるから、識別ベース部材３０が支持部材２０を介して本体枠１０に取り付けられた状態となる。このように、本実施形態では、支持部材２０および識別ベース部材３０の両方が本体枠１０の後側から取付可能である。
【００３８】
かかる状態となると、後述する取り外し手順を経なければ識別ベース部材３０を支持部材２０（本体枠１０）から取り外すことができない。識別ベース部材３０と支持部材２０の係合を解消するためには、識別ベース部材３０の係止部３３を弾性変形させ、係止部３３の爪３３１が支持部材２０の爪係止部２２に係止された状態を解消しなければならないところ、上述したように識別ベース部材３０の係止部３３は主壁３１および側壁３２に囲まれる空間に位置している、すなわち識別ベース部材３０の係止部３３は主壁３１および側壁３２に覆われている（本実施形態ではさらに本体枠１０の壁部１１にも覆われている）ため、識別ベース部材３０の表面３１ａ側（遊技機１全体で言えば後方）から係止部３３の爪３３１が支持部材２０の爪係止部２２に係止された状態を解消することは不可能である（図１１参照）。
【００３９】
最後に、本体枠１０に設けられた識別情報カバー部材１４を本体枠１０の裏面と略平行になるまで回動させる。これにより、識別ベース部材３０の表面３１ａ（識別情報表示部材３０ａ）が透明または半透明である識別情報カバー部材１４に覆われた状態（図８に示す状態）となる。
【００４０】
２）識別ベース部材の取り外し
上記１）の手順によって支持部材２０を介して本体枠１０に取り付けられた識別ベース部材３０を取り外す手順を説明する。まず、識別情報カバー部材１４を本体枠１０の裏面と略直交する位置まで回動させ、図１１に示す状態とする。
【００４１】
図５に示すように、本体枠１０に取り付けられた支持部材２０は、挿通孔１３に挿通された突出部２３の先端が本体枠１０の前側で露出した状態にある。この挿通孔１３に挿通された突出部２３を本体枠１０側（前方）から識別ベース部材３０の表面３１ａ側（後方）に押圧する。支持部材２０は、取付ねじ４０によって本体枠１０に取り付けられた状態にあるから、この押圧力は支持部材２０に作用する。具体的には、支持部材２０における取付ねじ４０のねじ頭が密着している周囲、すなわち支持部材２０の係合部２１に当該押圧力が作用する。係合部２１のねじ頭係合部２１２の周囲には、厚みが支持部材２０を構成するその他の箇所の厚みよりも薄く形成された薄肉部分２１３が形成されている。そのため、ある一定の力以上の押圧力が支持部材２０に作用すると、図１２に示すように当該薄肉部分２１３が破壊されて、係合部２１が支持部材２０を構成するその他の部分（係合部２１を除く部分）と分離する。
【００４２】
このように取付ねじ４０が係合されていた係合部２１が支持部材２０を構成するその他の部分から分離すると、支持部材２０（係合部２１を除く）とそれに支持された状態にある識別ベース部材３０が本体枠１０から外れる。この「支持部材２０と識別ベース部材３０の組体」が本体枠１０から外れると、支持部材２０における前後方向に貫通した部分（断面略四角形状に貫通した部分）の前側（識別ベース部材３０が取り付けられている側の反対側）の開口２４（図１５参照）を通じて、識別ベース部材３０の係止部３３の爪３３１と、支持部材２０の爪係止部２２の係止を解除することができるようになる。つまり、支持部材２０に取り付けられた状態にあった識別ベース部材３０を取り外すことができる。上記のように支持部材２０はその一部が破壊されるが、支持部材２０以外の部材（特に識別ベース部材３０）は破壊されないため、新しい支持部材２０を用いれば、再度識別情報が表示された識別ベース部材３０を取り付けること（交換等すること）ができる。
【００４３】
一方、支持部材２０を構成するその他の部分から分離した係合部２１は、ねじ頭係合部２１２を含むものであるから、そのまま取付ねじ４０によって本体枠１０の被係合部１２に付いたままの状態となる（図１２参照）。つまり、不正行為等によって識別ベース部材３０が取り外されたとしも支持部材２０の一部が本体枠１０に付いたままの状態であるから、識別ベース部材３０が取り外されたことを容易に発見することができる。また、不正行為者が別の識別情報に交換しようとしても、支持部材２０を破壊しなければ識別ベース部材３０を取り外すことが不可能であるから、新しい支持部材２０を用意しない限り再度別の識別ベース部材３０を取り付けることができない。つまり、別の識別情報に交換することは困難な構成である。
【００４４】
（本実施形態の効果）
以上説明した本実施形態にかかる遊技機１によれば次のような効果が奏される。
【００４５】
本実施形態にかかる遊技機１では、識別ベース部材３０の表面３１ａ側からは爪係止部２２に係止された係止部３３（爪３３１）が主壁３１および側壁３２に覆われるため、識別ベース部材３０を取り外すことが不可能である。一方、識別ベース部材３０の裏面側からは、挿通孔１３に挿通された突出部２３を識別ベース部材３０の表面３１ａ側に押圧することで、支持部材２０の薄肉部分２１３が破壊されて係合部２１が支持部材２０から外れる。つまり、係合部２１が本体枠１０に付いたまま、本体枠１０から支持部材２０が外れ、支持部材２０に支持された識別ベース部材３０を取り外すことができる状態となる。このように、識別ベース部材３０を取り外すと係合部２１が本体枠１０に付いたままの状態となるため、痕跡を残さずに識別ベース部材３０を取り外すことが困難となる。
【００４６】
また、識別ベース部材３０の裏面側から挿通孔１３に挿通された突出部２３を識別ベース部材３０の表面３１ａ側に押圧するだけで本体枠１０から識別ベース部材３０を支持する支持部材２０を外すことができるため、識別ベース部材３０の取り外し作業が容易になる。さらに、識別ベース部材３０は本体枠１０に直接取り付けられているわけではなく、支持部材２０を介して取り付けられているため、一旦取り外した識別ベース部材３０（識別情報表示部材３０ａ）を再利用することが可能である。すなわち、仮に遊技機の出荷前に本体枠１０に故障などの不具合があったとしても、新たな本体枠１０に対して識別ベース部材３０（識別情報表示部材３０ａ）を再利用することが可能である。
【００４７】
このように、本実施形態にかかる遊技機１は、識別ベース部材３０の再利用を可能とする支持部材２０を、不正な取り外しを防止する部材、および取り外し作業を容易にする部材として巧みに利用したものである。
【００４８】
また、本実施形態にかかる遊技機１は、支持部材２０および識別ベース部材３０の両方が本体枠１０の後側から取付可能であるため、取り外し作業だけでなく識別ベース部材３０の取り付け作業も容易になる。
【００４９】
また、本実施形態にかかる遊技機１は、識別ベース部材３０（支持部材２０）の取り外し時に利用する突出部２３を、支持部材２０およびそれに支持される識別ベース部材３０の本体枠１０に対する位置決めとしても利用することが可能である。
【００５０】
以上、本発明の実施の形態について詳細に説明したが、本発明は上記実施の形態に何ら限定されるものではなく、本発明の要旨を逸脱しない範囲で以下のような種々の改変が可能である。
【００５１】
上記実施形態では、識別ベース部材３０を取り外す際、支持部材２０の押圧によって支持部材２０の薄肉部分２１３が破壊されて、支持部材２０の係合部２１が本体枠１０の被係合部１２に付いたままの状態となることを説明したが、その逆であってもよい。すなわち、本体枠に形成される被係合部（係合部）に薄肉部分を設け、支持部材の押圧によって当該薄肉部分が破壊されて本体枠に形成される被係合部（係合部）が本体枠から外れる構成としてもよい。この場合に識別ベース部材の不正な取り外しが行われると、本体枠の一部が破壊された状態となる。つまり、この場合も痕跡を残さずに識別ベース部材を取り外すことは困難な構成である。また、上記実施形態と同様に、仮に遊技機の出荷前に本体枠に故障などの不具合があったとしても、新たな本体枠に対して識別ベース部材（識別情報表示部材）を再利用することが可能である。
上記実施形態から得られる具体的手段の例を以下に記載する。
手段１；本体枠と、この本体枠に取り付けられる支持部材と、この支持部材に対し着脱可能に取り付けられる部材であって、表面に所定の識別情報が表示される識別ベース部材と、を備えた遊技機において、前記本体枠あるいは前記支持部材の一方には前記支持部材を前記本体枠に取り付けるための係合部が形成されるとともに、他方には前記係合部と係合される被係合部が形成され、前記本体枠には前記支持部材に設けられた突出部が挿通可能である挿通孔が形成されるとともに、前記支持部材を前記本体枠に取り付けた状態では前記突出部が前記挿通孔に挿通された状態にあり、前記本体枠に取り付けられた前記支持部材に前記識別ベース部材が取り付けられた状態では、前記識別ベース部材の表面側は、前記係合部と被係合部の係合箇所および前記支持部材に対して前記識別ベース部材が係止された箇所が覆われ、前記識別ベース部材の表面側からは前記支持部材から前記識別ベース部材を取り外し不能となるように構成されている一方、前記識別ベース部材の裏面側である前記本体枠側から、前記挿通孔に挿通された前記突出部を前記識別ベース部材の表面側に押圧することで、前記係合部と被係合部が係合したまま前記係合部あるいは被係合部の一方が前記本体枠あるいは支持部材から外れることで、前記本体枠から前記支持部材が外れ、前記支持部材に支持された状態にある前記識別ベース部材が前記支持部材から取り外し可能に構成したことを特徴とする遊技機。
手段２；手段１の遊技機において、前記本体枠あるいは前記支持部材の一方に形成された前記係合部は、その他の箇所よりも薄く形成された薄肉部分を有し、前記挿通孔に挿通された前記突出部を前記識別ベース部材の表面側に押圧することで、前記薄肉部分が破壊されて前記支持部材に支持された状態にある前記識別ベース部材が前記本体枠から取り外されるように構成されていることを特徴とする遊技機。
手段３；手段２の遊技機において、前記支持部材は、前記係合部に係合される取付部材を介して前記本体枠に取り付けられ、前記挿通孔に挿通された前記突出部を前記識別ベース部材の表面側に押圧し前記薄肉部分が破壊されると、前記取付部材によって前記係合部が前記支持部材あるいは前記本体枠の他方に付いたままの状態となるように構成されていることを特徴とする遊技機。
手段４；手段１の遊技機から手段３の遊技機のいずれか一つにおいて、前記支持部材は、前記本体枠の後側から前記本体枠に対して取付可能に構成され、前記識別ベース部材は、前記本体枠の後側から前記支持部材に対して取付可能に構成されていることを特徴とする遊技機。
手段５；手段１の遊技機から手段４の遊技機のいずれか一つにおいて、前記本体枠には前記挿通孔が複数形成され、前記支持部材には前記挿通孔のそれぞれに挿通される前記突出部が複数形成されていることを特徴とする遊技機。
手段１の遊技機では、識別ベース部材の表面側からは識別ベース部材を取り外すことが不可能であるのに対し、識別ベース部材の裏面側からは、挿通孔に挿通された突出部を識別ベース部材の表面側に押圧することで、係合部と被係合部が係合したまま係合部あるいは被係合部の一方が本体枠あるいは支持部材から外れる。つまり、係合部あるいは被係合部の一方が他方に残ったまま、本体枠から支持部材が外れ、支持部材に支持された識別ベース部材を取り外すことができる状態となる。このように、識別ベース部材を取り外すと係合部あるいは被係合部の一方が他方に残ったままの状態となるため、痕跡を残さずに識別ベース部材を取り外すことが困難となる。また、識別ベース部材の裏面側から挿通孔に挿通された突出部を識別ベース部材の表面側に押圧するだけで本体枠から識別ベース部材を支持する支持部材を外すことができるため、識別ベース部材の取り外し作業が容易になる。さらに、識別ベース部材は本体枠に直接取り付けられているわけではなく、支持部材を介して取り付けられているため、一旦取り外した識別ベース部材を再利用することが可能である。
手段２の遊技機のように、突出部を識別ベース部材の表面側に押圧したときに破壊される薄肉部分が係合部に形成される構成とすれば、突出部を押圧することによって支持部材とともに識別ベース部材が取り外される構成を簡単に構築することが可能となる。
手段３の遊技機のように、支持部材を本体枠に取り付けるための取付部材を用いる場合、その取付部材によって係合部が支持部材あるいは本体枠の他方に付いたままの状態となるため、痕跡を残さずに支持部材とともに識別ベース部材を取り外すことが困難となる。
手段４の遊技機によれば、支持部材および識別ベース部材の両方が本体枠の後側から取付可能であるため、取り外し作業だけでなく識別ベース部材の取り付け作業も容易になる。
手段５の遊技機によれば、識別ベース部材（支持部材）の取り外し時に利用する突出部を、支持部材およびそれに支持される識別ベース部材の本体枠に対する位置決めとしても利用することが可能となる。
【符号の説明】
【００５２】
１  遊技機
１０  本体枠
１２  被係合部
１２１  ねじ穴
１３  挿通孔
２０  支持部材
２１  係合部
２１１  ねじ挿通孔
２１３  薄肉部分
２２  爪係止部
２３  突出部
３０  識別ベース部材
３１ａ  表面
３１ 主壁
３２  側壁
３３  係止部
３３１  爪
３０ａ  識別情報表示部材
４０  取付ねじ
【図１】
0005426723.tif 000002
【図２】
0005426723.tif 000003
【図３】
0005426723.tif 000004
【図４】
0005426723.tif 000005
【図５】
0005426723.tif 000006
【図６】
0005426723.tif 000007
【図７】
0005426723.tif 000008
【図８】
0005426723.tif 000009
【図９】
0005426723.tif 000010
【図１０】
0005426723.tif 000011
【図１１】
0005426723.tif 000012
【図１２】
0005426723.tif 000013
【図１３】
0005426723.tif 000014
【図１４】
0005426723.tif 000015
【図１５】
0005426723.tif 000016